(57)【要約】【課題】交流電源のゼロクロス検出の高精度化を図ることで、入力力率を維持した電源装置を提供する。【解決手段】交流電源をリアクタを介して短絡する短絡手段と、前記交流電源の交流電圧と所定の基準電圧との大小関係に対応した２値信号を出力する２値信号出力手段と、前記２値信号を用いた演算によりゼロクロス点の算出と、次の演算タイミングの算出を行ない、前記ゼロクロス点に同期した信号に基づいて前記短絡手段を駆動する制御部を備え、前記演算タイミングの直前の所定の区間は、前記２値信号の立ち上がりエッジまたは立ち下がりエッジを無視することで、交流電源のゼロクロス点を正確に検出することができるので、高力率を維持することができる。【選択図】図１
2011205725.tif 000002
【特許請求の範囲】
【請求項１】
交流電源をリアクタを介して短絡する短絡手段と、
前記交流電源の交流電圧と所定の基準電圧との大小関係に対応した２値信号を出力する２値信号出力手段と、
前記２値信号出力手段からの２値信号を用いた演算により算出されたゼロクロス点情報に基づいて前記短絡手段を駆動する制御部と、を備えた電源装置であって、
前記演算は、前記ゼロクロス点の算出および次の演算タイミングの算出を行うものであり、
前記演算タイミング直前の所定の区間では、前記２値信号を無視することを特徴とする電源装置。
【請求項２】
前記演算タイミングは、１周期前に算出された前記ゼロクロス点から前記交流電源の周期の概略３／４に相当する時間だけ加算した時刻であることを特徴とする請求項１に記載の電源装置。
【請求項３】
前記所定の区間は、前記交流電源の周期の概略１／４に相当することを特徴とする請求項１または２に記載の電源装置。
【請求項４】
前記ゼロクロス点および前記演算タイミングの算出は、前記２値信号の立ち上がりエッジと立ち下がりエッジに対応する各時刻の中点と、前記交流電源の周期とを用いて行うことを特徴とする請求項１〜３のいずれか１項に記載の電源装置。
【発明の詳細な説明】
【技術分野】
【０００１】
本発明は、交流電源からの交流電圧を整流して負荷へ直流電圧を供給する電源装置に関する。
【背景技術】
【０００２】
従来、電源電圧のゼロクロス時刻を算出する方法として、２値信号の立ち上がり時刻と立ち下がり時刻を用い方法が提案されている（例えば、特許文献１参照）。図５は、コンバータ回路における従来のゼロクロス時刻の算出方法を示している。図５から明らかなように、電源電圧波形の立ち上がり時刻ｔｏｎ（２）と立ち下がり時刻ｔｏｆｆ（２）の中間時刻ｔｐは電源電圧のピーク時刻となる。したがって、ピーク時刻ｔｐから９０度（ｔａｃ／４）遅れの時刻が立ち下がりのゼロクロス時刻であり、ピーク時刻ｔｐから２７０度（３・ｔａｃ／４）遅れの時刻が立ち上がりのゼロクロス時刻となる。
【先行技術文献】
【特許文献】
【０００３】
【特許文献１】特開２００１−４５７６３号公報
【発明の概要】
【発明が解決しようとする課題】
【０００４】
しかしながら、上記従来の電源装置は比較的良好な特性を有し、図５に示すような２値信号の立ち上がりエッジと立ち下がりエッジからゼロクロス点を算出する方式は、ゼロクロス点を正確に得ることはできていたが、電源電圧の歪みや２値信号のチャタリングに対しては、不十分であるという課題を有していた。
【０００５】
本発明の電源装置は、前記のような従来の課題を解決するもので、電源電圧の歪みやチャタリングによって図３に示すような２値信号になっても交流電源のゼロクロス点を正確に検出することができる電源装置を提供することを目的とする。
【課題を解決するための手段】
【０００６】
上記課題を解決するために本発明の電源装置は、交流電源をリアクタを介して短絡する短絡手段と、交流電源の交流電圧と所定の基準電圧との大小関係に対応した２値信号を出力する２値信号出力手段と、２値信号出力手段からの２値信号を用いた演算により算出されたゼロクロス点情報に基づいて前記短絡手段を駆動する制御部と、を備えた電源装置であって、前記演算は、ゼロクロス点の算出および次の演算タイミングの算出を行うものであり、演算タイミングの直前の所定の区間は、２値信号の立ち上がりエッジまたは立ち下がりエッジを無視するものである。
【０００７】
これによって、演算タイミングの直前に立ち上がりエッジまたは立ち下がりエッジが発生しても、そのエッジは無視されることとなるので、図３に示すような２値信号になっても交流電源のゼロクロス点を正確に検出することができるので、高力率を維持することができる。
【発明の効果】
【０００８】
本発明の電源装置は、電源電圧の歪みや２値信号のチャタリングによって２値信号の検出位置がずれても交流電源のゼロクロス点を正確に検出することができるので、高力率を維持することができる。
【図面の簡単な説明】
【０００９】
【図１】本発明の実施の形態１における電源装置の主回路構成図
【図２】本発明の実施の形態１における電源装置の構成図
【図３】電源電圧の歪みやチャタリング発生時における各部動作の説明図
【図４】本発明の実施の形態２における電源装置の構成図
【図５】従来のコンバータ回路の一例に係る構成図
【発明を実施するための形態】
【００１０】
第１の発明は、交流電源をリアクタを介して短絡する短絡手段と、交流電源の交流電圧と所定の基準電圧との大小関係に対応した２値信号を出力する２値信号出力手段と、２値信号出力手段からの２値信号を用いた演算により算出されたゼロクロス点情報に基づいて短絡手段を駆動する制御部とを備えた電源装置であって、前記演算は、前記ゼロクロス点の算出および次の演算タイミングの算出を行うものであり、演算タイミングの直前の所定の区間は、２値信号を無視することにより、演算タイミングの直前に立ち上がりエッジまたは立ち下がりエッジによって２値信号が発生しても、そのエッジは無視されることとなるので、交流電源のゼロクロス時刻を正確に検出することができ、高力率を維持することができる。
【００１１】
第２の発明は、特に第１の発明の演算タイミングは、１周期前に算出されたゼロクロス点から交流電源の周期の概略３／４に相当する時間だけ加算した時刻であり、交流電源のピーク時刻付近で演算を行なうことで、正規の２値信号のエッジに近すぎて誤った時刻を用いて演算してしまう可能性が低くなるので、最も周波数変動に対応できる。
【００１２】
第３の発明は、特に第１から第２の発明の所定の区間は、前記交流電源の周期の概略１／４に相当するものであり、周期を用いて所定の区間を設定することで、簡単に所定の区間を設定することができ、周波数変動に対応しやすくなる。
【００１３】
第４の発明は、特に第１〜第３の発明において、前記ゼロクロス点および前記演算タイミングの算出は、前記２値信号の立ち上がりエッジと立ち下がりエッジに対応する各時刻の中点と、前記交流電源の周期とを用いて行うとしたもので、ゼロクロス点の検出を正確に算出することができる。
【００１４】
以下、本発明の実施の形態について、図面を参照しながら説明する。なお、この実施の形態によって本発明が限定されるものではない。
【００１５】
（実施の形態１）
図１は、本発明にかかる第１の実施の形態の電源装置を示す構成図である。図１において、交流電源１の出力端からリアクタ２を経由して４個のダイオード４ａ、４ｂ、４ｃ、４ｄからなるブリッジ回路に入力される。ブリッジ整流回路の出力には平滑コンデンサ５、負荷６が接続されている。また、交流電源１の出力端からリアクタ２を介して交流電源１を短絡する短絡手段３が接続されることで、電源装置の力率を改善するようになっている。
【００１６】
また、交流電源１の両端には交流電源１の電源電圧の位相を２値信号で出力し、この２値信号を制御部８に供給する２値信号出力手段７が接続されている。
【００１７】
この２値信号出力手段７は、図２に示すように、電源電圧に応じてＯＮ−ＯＦＦ信号を出力するように構成されており、例えば、電源電圧がある基準値以上になるとＯＮ信号を出力し、基準値以下になるとＯＦＦになるものである。例えば、フォトカプラ等で組まれる構成があり、本実施の形態１の所定の基準電圧は極めて０Ｖに近い値、または０Ｖも含まれる。また、図２には交流電源１の正サイクルに２値信号が出力される波形を示しているが、負サイクルに２値信号が出力される波形でも本実施の形態１を利用できる。
【００１８】
図２に、本実施の形態における電源装置のゼロクロス点算出、演算タイミングの算出方法を示す。図２に示すのは正規の２値信号の場合であり、演算タイミングＰ（０）の時刻付近にて立ち上がりエッジＴｏｎ（０）と立ち下がりエッジＴｏｆｆ（０）の時刻からゼロクロス点Ｏ（１）を算出するものであり、ゼロクロス点Ｏ（１）の直近の立ち上がりエッジＴｏｎ（０）と立ち下がりエッジＴｏｆｆ（０）の中間時刻は電源電圧のピーク時刻ｔｐとなる。したがって、ピーク時刻ｔｐから２７０度（３・ｔａｃ／４）遅れの時刻が立ち上がりのゼロクロス点Ｏ（１）となる。さらに、演算タイミングＰ（０）から交流電源の周期ｔａｃ遅れの時刻が次の演算タイミングＰ（１）となる。
【００１９】
そして、次の演算タイミングＰ（１）の時刻付近にて立ち上がりエッジＴｏｎ（１）と立ち下がりエッジＴｏｆｆ（１）の時刻を用いて次のゼロクロス点を算出することとなる。ここでのｔａｃは交流電源１の周期であり、例えば５０Ｈｚ電源の場合は２０ｍｓ、６０Ｈｚ電源の場合は１６．６６７ｍｓのような所定の値である。また、図２では立ち上がりのゼロクロス点を算出していたが、ピーク時刻ｔｐから４５０度（５・ｔａｃ／４）遅れの時刻となる立ち下がりのゼロクロス点、さらには２周期目以降のゼロクロス点も同様に算出することもできる。
【００２０】
図３に、電源電圧の歪みや２値信号のチャタリング発生時における動作を示す。図３（ａ）は演算タイミングＰ（０）の直近に不正規の立ち上がりエッジＴｏｎ（ｅｒｒ）と立ち下がりエッジＴｏｆｆ（ｅｒｒ）が発生した場合を示す。まず、立ち上がりエッジＴｏｎ（０）と立ち下がりエッジＴｏｆｆ（０）が検出されたら、その後に立ち上がりエッジまたは立ち下がりエッジが発生しても、そのエッジは無視されるモードに入る。そうすることで、演算タイミングＰ（０）の直前の立ち上がりエッジはＴｏｎ（ｅｒｒ）ではなくＴｏｎ（０）、立ち下がりエッジはＴｏｆｆ（ｅｒｒ）ではなくＴｏｆｆ（０）ということになる。そのため、演算タイミングＰ（０）の時刻付近では、立ち上がりエッジＴｏｎ（０）と立ち下がりエッジＴｏｆｆ（０）を用いてゼロクロス点を算出し、再び立ち上がりエッジまたは立ち下がりエッジを受け付けるモードに戻る。つまり、立ち下がりエッジＴｏｆｆ（０）から演算タイミングＰ（０）の時刻の区間ｔｗに、立ち上がりエッジＴｏｎ（ｅｒｒ）または立ち下がりエッジＴｏｆｆ（ｅｒｒ）が発生しても、そのエッジは無視されることとなる。そうすることで、交流電源のゼロクロス点を正確に検出することができるので、高力率を維持することができる。
【００２１】
また、図３（ｂ）のように負サイクルに２値信号が出力される波形でも本実施の形態１を利用できる。この場合は、立ち上がりエッジＴｏｎ（０）から演算タイミングＰ（０）の時刻の区間ｔｗに、立ち上がりＴｏｎ（ｅｒｒ）または立ち下がりエッジＴｏｆｆ（ｅｒｒ）が発生しても、そのエッジは無視されることとなる。
【００２２】
すなわち、交流電源１の概略１周期毎に行なわれる演算タイミングにて、２値信号の立ち上がりエッジと立ち下がりエッジに対応する各時刻の中点と交流電源の周期を用いてゼロクロス点の算出と、次の演算タイミングの算出を行ない、ゼロクロス点に同期した信号に基づいて短絡手段３を駆動する。
【００２３】
以上のように、算出された正確なゼロクロス点の情報を使用することで、短絡手段３の制御が正確に行え、電源装置の力率を改善することができる。
【００２４】
（実施の形態２）
図４は、本発明にかかる第２の実施の形態の電源装置のゼロクロス点の算出方法を示す構成図である。演算タイミングＰ（０）は、ゼロクロス点Ｏ（１）の手前にあればよいが、正規の２値信号のエッジに近すぎると誤った時刻を用いて演算してしまう可能性がある。例えば、図４に示すように１周期前のゼロクロス点Ｏ（０）から約３／４ｔａｃだけ加算した時刻、つまり交流電源１のピーク時刻付近で算出することで、誤った時刻を用いて演算してしまう可能性は低くなるので、最も周波数変動に対応できる。
【００２５】
さらに、１周期前のゼロクロス点Ｏ（０）から約１／２ｔａｃだけ加算した時刻Ｒ（０）で立ち上がりエッジまたは立ち下がりエッジを無視するモードに入る。Ｒ（０）から約１／４ｔａｃ経過するまでは無視するモードを継続し、到達したら再び立ち上がりエッジまたは立ち下がりエッジを受け付けるモードに戻る。そうすることで、簡単に所定の区間を設定することができ、周期を用いることで周波数変動にも対応しやすくなる。
【産業上の利用可能性】
【００２６】
以上のように、本発明にかかる電源装置は、電源電圧の歪みや２値信号のチャタリングによって２値信号の検出位置がずれても交流電源のゼロクロス点を正確に検出することができるので、空気調和器や冷蔵庫をはじめ、洗濯機などの電化製品の電源装置、さらに交流電源の入力電圧の位相を検出する検出装置として適用できる。
【符号の説明】
【００２７】
１  交流電源
２  リアクタ
３  短絡手段
４ａ、４ｂ、４ｃ、４ｄ  ダイオード
５  平滑コンデンサ
６  負荷
７  ２値信号出力手段
８  制御部
【図１】
2011205725.tif 000003
【図２】
2011205725.tif 000004
【図３】
2011205725.tif 000005
【図４】
2011205725.tif 000006
【図５】
2011205725.tif 000007